(57)【要約】【解決手段】本発明は、電子モジュール（１）を有する、産業用のモジュラ接続システムに関する。電子モジュール（１）は少なくとも１個のデータ分配デバイスを有し、取付けレール（１７）に取り付けできる。電子モジュール（１）は、汎用モジュール位置（６）を介して接続できる複数の接続部（５）を有する。データバス（９）及び電力供給接続部（７）が、取付けレール（１７）に取り付けられた電子モジュール（１）間に配置される。接続モジュール（１８−２２）は、電子モジュール（１）のモジュール位置（６）に取付け可能であり、機械的に固定可能であり、光又は電気ケーブル及び接続部（５）間を電気的に接続する。
2004509471.tif 000002
【特許請求の範囲】
【請求項１】
産業部門におけるイーサネット（登録商標）用のモジュラ接続構造であって、
各々取付けレール（１７）上に取付け可能であり且つ少なくとも１個のデータ分配デバイスを有する複数の電子モジュール（１）を具備し、
前記各電子モジュール（１）は、データバス（９）及び電力供給接続部（７）によって、前記取付けレール（１７）上の隣接する電子モジュールに電気的に接続可能であり、
前記各電子モジュール（１）は複数の接続部（５）を有し、
前記接続部（５）は、該接続部に機械的に固定可能な汎用モジュール位置（６）と連通して光又は電気ケーブル及び前記接続部間を電気的に接続することを特徴とするモジュラ接続構造。
【請求項２】
前記電子モジュールのうち１個はスター型ハブを有することを特徴とする請求項１記載のモジュラ接続構造。
【請求項３】
前記電子モジュールのうち１個は選択的データ分配スイッチを有することを特徴とする請求項１記載のモジュラ接続構造。
【請求項４】
前記取付けレール（１７）上に配置可能であり且つ前記電子モジュールに突き当て取付け可能である特殊モジュールが設けられていることを特徴とする請求項１記載のモジュラ接続構造。
【請求項５】
前記特殊モジュールは前記電子モジュールの電力供給用に使用されることを特徴とする請求項４記載のモジュラ接続構造。
【請求項６】
前記特殊モジュールは診断機能付き部品を有することを特徴とする請求項４記載のモジュラ接続構造。
【請求項７】
前記特殊モジュールはネットワーク管理機能付き部品を有することを特徴とする請求項４記載のモジュラ接続構造。
【請求項８】
前記データ分配デバイス以外に、電気モジュールが診断機能及びネットワーク管理機能の一方又は両方を有する部品を有することを特徴とする請求項１記載のモジュラ接続構造。
【請求項９】
前記接続部及び前記接続モジュールはコード化キー（１４）を有することを特徴とする請求項１記載のモジュラ接続構造。
【請求項１０】
接続モジュール（１８）がスクリーンを有することを特徴とする請求項１記載のモジュラ接続構造。
【請求項１１】
接続モジュール（１８，１９，２０）がＲＪ４５プラグコネクタ用のソケットを有することを特徴とする請求項１記載のモジュラ接続構造。
【請求項１２】
接続モジュール（２２）がケーブルを速結接触するための圧接コンタクト（２４）を有することを特徴とする請求項１記載のモジュラ接続構造。
【請求項１３】
接続モジュール（２１）が光ケーブルに接続可能であることを特徴とする請求項１記載のモジュラ接続構造。
【請求項１４】
前記各接続部（５）は１個の汎用モジュール位置（６）を有することを特徴とする請求項１記載のモジュラ接続構造。
【発明の詳細な説明】
【０００１】
【発明の属する技術分野】
本発明は、イーサネット（登録商標）用のモジュラ接続構造（ｓｙｓｔｅｍ）に関する。
【０００２】
【従来の技術及び発明が解決しようとする課題】
公知のイーサネット（登録商標）用接続システムは、産業用等には部分的に適さない。これらのシステムはポートの数に関してモジュラに構成でき、レール上に取付け可能であり、例えば対応するプラグに接続するためのＲＪ４５リセプタクル等のアウトレットを有する。しかし、これらのシステムは、産業の電気機械的及び柔軟性の要求を満たさないことが多い。
【０００３】
本発明は、電気機械的構造及び柔軟性の関する産業の要求事項を満たす、産業部門用のモジュラ接続システムを提供することを目的とする。
【０００４】
【課題を解決するための手段】
この目的及び他の目的は、製造機械に近い産業部門で使用されるアクティブネットワーク部品用のモジュラシステム設計によって達成される。従来の事務又はビル部門での使用と対照的に、電気機械的構造及び柔軟性に関する要求事項は、同じ電気的及び論理的機能であるにも関わらず、ネットワークトポロジーの設計が異なっている。産業部門において、ネットワークトポロジーは異なる製造工程に適合する必要がある。事務部門と対照的に、データ分配デバイス当たり又はスイッチ、ハブ等のアクティブ部品当たりの接続ポート数は、より小さいことが多い。
【０００５】
【発明の実施の形態】
図面を参照して本発明の一実施形態を説明する。図１は、本発明による電子モジュールの分解斜視図である。図２は、図１の電子モジュールの斜視図である。図３は、複数の接続モジュールが取り付けられた２個の電子モジュールの斜視図である。図４は、本発明による組立後のモジュラ接続システムの斜視図である。
【０００６】
図１を最初に参照して本発明を詳細に説明する。電子モジュール１は、印刷回路基板２、下側ハウジング３及び上側ハウジング４からなる。例えばハブ又はスイッチ等のデータ分配デバイスは、印刷回路基板２上に配置される。また、複数の接続部５、ここでは汎用モジュール位置６として設計された４個の接続部も、印刷回路基板２上に設けられる。４個の接続部５はそれぞれ、データ分配デバイスに対応して接続されたネットワークポートである。印刷回路基板２は、対向する両側面の電力供給接続部７，８と、対向する両側面のデータバス線用のプラグコネクタ９，１０とを有する。プラグコネクタ９，１０は、コネクタ７，８が相補的であるように相補的である。このため、複数の電子モジュールが横方向に突き合わせて実装されて互いに接続できる。下側ハウジング３はその底面に凹部１１を有する。この凹部１１は、電子モジュール１が取付け可能なトップハット型レール等の取付けレールを受容するよう作用する。また、開口１２，１３が下側ハウジング３の側壁に形成される。開口１２は電力供給接続部７，８を受容するよう作用するが、開口１３はデータバス用のプラグコネクタ９，１０を受容するのに適する。上側ハウジング４は、その前部に接続部５用の４個の汎用モジュール位置６を有する。後部には、種々の表示器１５を設けることができる。各汎用モジュール位置６は、コード化されたキー溝１４を有する。
【０００７】
図２は、組立後の電子モジュール１を示す。コード化されたキー溝１４を有する４個の汎用モジュール位置６は、モジュール１の前部に配置されている。電力供給接続部７及びデータバス９用プラグコネクタは、モジュール１の側面に位置する。モジュール１の後部には表示器１５が設けられる。４個の接続部５の汎用モジュール位置６は、接続モジュールの設計に依存して使用される複数のコンタクト１６を有する。
【０００８】
図３は、トップハット型レール１７上に突き当てて取り付けられた２個の電子モジュール１，１’を示す。これらモジュールは、トップハット型レールに沿って移動可能であり、隣接するモジュールのデータバスプラグコネクタ９及び電力供給コネクタ７と嵌合する。４個の接続モジュール１８，１９，２０，２１は左側の電子モジュール１に既にラッチされており、右側の電子モジュール１’には１個の接続モジュール２２のみがラッチされている。必要に応じてさらに３個の接続モジュール２２が、対応するモジュール位置６’に上方から配置可能である。
【０００９】
接続モジュール１８，１９，２０，２１は互いに異なる。モジュール２１は、光信号を電気信号に変換するためのアクティブ部品を有する光モジュールである。接続モジュール１８−２０は、モジュラージャックコネクタを有しＲＪ４５プラグコネクタを受容するのに適しているモジュールである。モジュール１８は、供給電流を送るための接続部を付加的に有する点で、モジュール１９，２０と異なる。
【００１０】
複数のモジュール２２は同一構造である。これらモジュールは、フラップ蓋２３と、ケーブルの導体と接触するための圧接コンタクト２４とを有する速結接続モジュールである。ケーブルストレインリリーフデバイス２５も設けられている。これらモジュールは、種々のケーブルと接続するよう設計可能である。
【００１１】
物理的に異なる設計のケーブルが、各々用途に依存して使用可能である。このシステムは、選択されたモジュールに依存して銅用及び光ファイバケーブル用の双方に適合する。複数の接続モジュールは各電子モジュールに接続可能である。これら接続モジュールは、電子モジュールの接続部に取り付けて機械的に固定可能であり、光ファイバケーブル又は電気ケーブル間を電気的に接続する。
【００１２】
複数の電子モジュールはシステムに突き当て取付け可能である。従って、例えば任意の４個、８個、１２個等の接続部を有するスター型ハブを製造することが可能である。
【００１３】
各電子モジュールは接続部当たり１個の汎用モジュール位置を有する。使用される接続モジュールに依存して、モジュール位置の特定コンタクトへの接続部を形成する。
【００１４】
特定機能の接続モジュールを識別するために接続部又はモジュール位置及び接続モジュールをコード化すると有利である。
【００１５】
また、電子モジュールにスクリーンを設けると有利である。これは、コーティングしたプラスチックハウジング、金属ハウジング又はスクリーニング板により達成できる。
【００１６】
各電子モジュールは複数の接続モジュールと接触できる。ここで、接続モジュールは、電子モジュールにラッチできる能力を有すると特に有利である。接続モジュールは非常に異なった設計にすることができる。
【００１７】
また、例えばケーブルに接続される対応するプラグを受容するためのＲＪ４５ソケットアウトレットを有する純パッシブ接続モジュールも可能である。また、例えば圧接コンタクト等の直接ケーブルをクランプして設置する接続モジュールも可能である。種々のタイプのケーブル用にこのタイプの接続モジュールがある。また、一体化されたスクリーンカバー及びストレインリリーフデバイスを工程に設けることもできる。
【００１８】
しかし、アクティブ接続モジュールも本発明の範囲内である。光トランシーバは、光ファイバが取り付けられるＭＴＲＪ接続部と共に配置することができる。マルチモード、シングルモード又はプラスチックファイバが取り付けられた代替物もあり得る。
【００１９】
例えば特殊モジュールを有するモジュラ接続システムの延長も可能である。電力供給部が特殊モジュールの電子モジュールに突き当て取り付けされると有利である。
【００２０】
また、特殊モジュールが診断機能又はネットワーク管理機能付き部品を有すると有利である。他のネットワークへのＩＳＤＮルータ、カプラ等の突き当て取付け可能な特殊モジュールも設けることが可能である。
【００２１】
また、特殊伝送媒体への媒体変換器等の特殊接続モジュールを設けると有利である。
【図面の簡単な説明】
【図１】本発明による電子モジュールの分解斜視図である。
【図２】図１の電子モジュールの斜視図である。
【図３】複数の接続モジュールが取り付けられた２個の電子モジュールの斜視図である。
【図４】本発明による組立後のモジュラ接続システムの斜視図である。
【符号の説明】
１　　電子モジュール
５　　接続部
６　　汎用モジュール位置
７　　電力供給接続部
９　　データバス
１４　コード化されたキー溝（コード化キー）
１７　取付けレール
１８，１９，２０，２１，２２　接続モジュール
２４　圧接コンタクト
【図１】
2004509471.tif 000003
【図２】
2004509471.tif 000004
【図３】
2004509471.tif 000005
【図４】
2004509471.tif 000006
【国際公開パンフレット】
2004509471.tif 000007
2004509471.tif 000008
2004509471.tif 000009
2004509471.tif 000010
2004509471.tif 000011
2004509471.tif 000012
2004509471.tif 000013
2004509471.tif 000014
2004509471.tif 000015
2004509471.tif 000016
2004509471.tif 000017
2004509471.tif 000018
【国際調査報告】
2004509471.tif 000019
2004509471.tif 000020